(57)【特許請求の範囲】
【請求項１】
開口を有するフロントパネルと、前記開口の背部にて庫本体に配設されたガイドレールと、同ガイドレールに案内されて前記開口を開閉するスライドドアを備え、前記開口を形成する開口形成部が背面に向けて屈曲形成されてなるキャビネットの開口構造において、前記開口形成部における前記ガイドレールに沿って延在する部位の端面を前記ガイドレールの前面に向けて近接対向させたことを特徴とするキャビネットの開口構造。
【発明の詳細な説明】
【０００１】
【発明の属する技術分野】
本発明は、フロントパネルの開口をスライドドアによって開閉するキャビネットの開口構造に関する。
【０００２】
【従来の技術】
キャビネットの一つとして、開口を有するフロントパネルと、前記開口の背面に配設されたガイドレールと、同ガイドレールに案内されて前記開口を開閉するスライドドアを備え、前記開口を形成する開口形成部が背面に向けて屈曲形成されてなるものがある。フロントパネルとして金属製のものが使用される場合には、前記開口は打ち抜きによって形成されるため、開口形成部の端面に樹脂製のカバー部材を組み付けることにより安全性を高めたり、開口形成部の端部をカーリング加工することにより安全性を高めたりしている。
【０００３】
【発明が解決しようとする課題】
しかしながら、開口形成部の端面にカバー部材を組み付ける場合には、部品点数の増加によるコストアップの問題が生じ、また、開口形成部の端部をカーリング加工する場合には、その加工のための金型を用意する必要があり、この場合にもコストアップの問題が生じる。
【０００４】
【課題を解決するための手段】
本発明は、上記した問題に対処するためになされたものであり、開口を有するフロントパネルと、前記開口の背部にて庫本体に配設されたガイドレールと、同ガイドレールに案内されて前記開口を開閉するスライドドアを備え、前記開口を形成する開口形成部が背面に向けて屈曲形成されてなるキャビネットの開口構造において、前記開口形成部における前記ガイドレールに沿って延在する部位の端面を前記ガイドレールの前面に向けて近接対向させたことに特徴がある。
【０００５】
【発明の作用・効果】
本発明によるキャビネットの開口構造においては、背面に向けて屈曲形成された開口形成部におけるガイドレールに沿って延在する部位の端面をガイドレールの前面に向けて近接対向させたため、ガイドレールがフロントパネルの開口形成部におけるガイドレールに沿って延在する部位の端面を保護するカバー部材としても機能し、開口形成部の端面に別部材としてのカバー部材を組み付ける必要がなく、また、開口形成部の端部（端面を含む）に特別な加工を施す必要がなく、開口形成部の端面の保護（安全性の確保）を安価に図ることができる。
【０００６】
【発明の実施の形態】
以下に、本発明の一実施形態を図面に基づいて説明すると、図１は本発明を実施したキャビネットの一つである貯氷庫の正面図を示している。この貯氷庫は、前面に氷取出し口１２を有する貯氷室１１を備えた庫本体１０と、開口２１を有してなり庫本体１０の前面に組み付けられたフロントパネル２０と、フロントパネル２０の開口２１の背部にて庫本体１０に組み付けられた左右一対のガイドレール３１，３１と、同ガイドレール３１，３１に案内されて庫本体１０の氷取出し口１２及びフロントパネル２０の開口２１を開閉するスライドドア４０を備えている。
【０００７】
庫本体１０は、略直方体形状に形成されており、その内部には、氷を生成するための製氷機構部（図示省略）と、同製氷機構部にて生成された氷を貯える貯氷室１１を有している。また、庫本体１０の前面上部には、貯氷室１１から氷を取り出すための氷取出し口１２が設けられるとともに、底面には４個の脚１３が組み付けられている。
【０００８】
フロントパネル２０は、ステンレス製のもので、その上部における庫本体１０の氷取出し口１２に対応した部位に略矩形形状の開口２１を有している。開口２１は、打ち抜きによって形成されていて、この開口２１を形成する開口形成部２０ａは、図２及び図３に示したように、背面に向けて（庫本体１０側に）屈曲形成されている。
【０００９】
各ガイドレール３１は、摩擦抵抗の小さい樹脂（高密度ポリエチレン樹脂）製のもので、図１及び図２に示したように、取付部３１ａと保持部３１ｂが一体的に形成されており、取付部３１ａにて取付具５１を用いて氷取出し口１２の両側縁に沿ってそれぞれ上下方向に組み付けられている。また、各ガイドレール３１においては、保持部３１ｂの全長にわたってガイド溝３１ｂ１が形成されている（図２参照）。
【００１０】
両ガイドレール３１の上端間には、上方ストッパ部材３２が組み付けられている。この上方ストッパ部材３２は、ガイドレール３１と同一形状で、摩擦抵抗の小さい樹脂（高密度ポリエチレン樹脂）製のもので、図１及び図３に示したように、取付部３２ａと保持部３２ｂが一体的に形成されており、取付部３２ａにて取付具５２を用いて氷取出し口１２の上縁に沿って左右方向に組み付けられている。また、上方ストッパ部材３２においては、保持部３２ｂの全長にわたって嵌入溝３２ｂ１が形成されている（図３参照）。
【００１１】
また、各ガイドレール３１の下方には、各ガイド部材３３が庫本体１０の前面にそれぞれ上下方向に組み付けられている。各ガイド部材３３は、その全長にわたって各ガイド部３３ａを有するとともに、上部に板バネで形成した各ストッパ部３３ｂを有している。
【００１２】
スライドドア４０は、ポリエチレン樹脂製のもので、両側端４０ａが各ガイドレール３１の各ガイド溝３１ｂ１内及び各ガイド部材３３の各ガイド部３３ａ内を摺動するようになっており、これら各ガイドレール３１及び各ガイド部材３３に案内されて上下方向にスライドし、庫本体１０の氷取出し口１２及びフロントパネル２０の開口２１を開閉するようになっている。
【００１３】
また、スライドドア４０の前面上部にはスライドドア４０を開閉するためのハンドル４１が取り付けられるとともに、後面下部には、スライドドア４０の全閉時に貯氷室１１内の冷気が外部に漏れることを防止するための冷気漏れ防止部材４２が取り付けられている。
【００１４】
このスライドドア４０は、全閉時において、その下端４０ｂが各ガイド部材３３の各ストッパ部３３ｂに係合することによりロックするようになっており、また、全開時において、下端４０ｂが、庫本体１０の下部に組み付けられた下方ストッパ部材３４に当接することによりロックするようになっている。なお、全閉時においては、スライドドア４０の上端４０ｃが、上方ストッパ部材３２の嵌入溝３２ｂ１に嵌入するようになっている。
【００１５】
ところで、本実施形態においては、図２及び図３に示したように、フロントパネル２０における開口形成部２０ａの左右両側部（ガイドレール３１に沿って延在する部位）の端面２０ａ１及び上部（上方ストッパ部材３２に沿って延在する部位）の端面２０ａ１が、ガイドレール３１の保持部３１ｂの前面及び上方ストッパ部材３２の保持部３２ｂの前面に向けて近接対向している。このため、ガイドレール３１及び上方ストッパ部材３２が開口形成部２０ａの左右両側部および上部の各端面２０ａ１を保護するカバー部材としても機能し、開口形成部２０ａの左右両側部及び上部の端面２０ａ１に別部材としてのカバー部材を組み付ける必要がなく、また、開口形成部２０ａの端部（端面２０ａ１を含む）に特別な加工を施す必要がなく、開口形成部２０ａの端面２０ａ１の保護を安価に図ることができる。なお、開口形成部２０ａの下部の端面２０ａ１には、構造上、従来と同様にカバー部材（図示省略）が組み付けられていて、これにより安全性が確保されている。
【００１６】
上記実施形態においては、図２及び図３に示したように、ガイドレール３１における保持部３１ｂの先端面３１ｂ２及び上方ストッパ部材３２における保持部３２ｂの先端面３２ｂ２が、氷取出し口１２を形成する庫本体１０の開口形成部１０ａの端面１０ａ１よりも内方（図２において右方、図３において下方）に突出しているが、これら先端面３１ｂ２，３２ｂ２を開口形成部１０ａの端面１０ａ１よりも外方（同一面でも良い）に位置するようにして実施すること（なお、この場合には、フロントパネル２０における開口形成部２０ａの端面２０ａ１も合わせて外方に位置するようにする）も可能である。この場合には、氷取出し口１２を最大限に広く利用することが可能となる。
【００１７】
また、上記実施形態においては、スライドドア４０が上下方向にスライドして庫本体１０の氷取出し口１２及びフロントパネル２０の開口２１を開閉するタイプの貯氷庫に本発明を実施したが、本発明は、スライドドアが左右方向にスライドして庫本体の氷取出し口及びフロントパネルの開口を開閉するタイプの貯氷庫にも同様に実施することができる。
【００１８】
また、上記実施形態においては、本発明を貯氷庫に実施したが、本発明は、フロントパネルの開口をスライドドアによって開閉するその他のキャビネットにも同様に実施することができる。
【図面の簡単な説明】
【図１】  本発明を実施した貯氷庫においてフロントパネルの右半分を破断した状態の正面図である。
【図２】  スライドドアを全閉した状態における図１の２−２線に沿った断面図である。
【図３】  スライドドアを全閉した状態における図１の３−３線に沿った断面図である。
【符号の説明】
１０…庫本体、１１…貯氷室、１２…氷取り出し口、２０…フロントパネル、２０ａ…開口形成部、２０ａ１…開口形成部の端面、２１…開口、３１…ガイドレール、４０…スライドドア。
【図１】
0004162180.tif 000002
【図２】
0004162180.tif 000003
【図３】
0004162180.tif 000004